(57)【要約】【課題】動画再生やマルチメディア情報の再生の領域がコンテンツに存在する場合に、ユーザがモード切換えをする煩わしさがなく、十字キーによって快適に操作をすることが可能となる。【解決手段】情報を表示する表示部にコンテンツを表示する第１の表示制御手段７１と、前記コンテンツ内に存在する選択対象情報を選択するためのキーの操作に応じて次にフォーカス表示する選択対象情報を得て、この情報が動画再生またはマルチメディア情報再生を指示するタグであるか否かを検出する第１の検出手段７４と、検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行する第２の表示制御手段７２と、を具備する。【選択図】図１
2015222566.tif 000002
【特許請求の範囲】
【請求項１】
情報を表示する表示部にコンテンツを表示する第１の表示制御手段と、
前記コンテンツ内に存在する選択対象情報を選択するためのキーの操作に応じて次にフォーカス表示する選択対象情報を得て、この情報が動画再生またはマルチメディア情報再生を指示するタグであるか否かを検出する第１の検出手段と、
検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行する第２の表示制御手段と、
マウスポインタが再生動画の領域を外れたか否か検出する第２の検出手段と、
前記再生動画の領域を外れるまでマウスポインタモードを実行する第３の表示制御手段と
を具備することを特徴とする表示制御装置。
【請求項２】
前記第２の検出手段がマウスポインタについて再生動画の領域から外れたことを検出した場合には、前記第２の表示制御手段による処理へ移行することを特徴とする請求項１に記載の表示制御装置。
【請求項３】
キーは十字キーであることを特徴とする請求項１または２に記載の表示制御装置。
【請求項４】
前記第２の表示制御手段が、マウスポインタモードを実行している場合に、キーの操作によるマウスイベントが発生すると、マウスイベントを受け付けて対応するイベント処理を行うイベント処理手段を備えていることを特徴とする請求項１乃至３のいずれか１項に記載の表示制御装置。
【請求項５】
情報を表示する表示部にコンテンツを表示する第４の表示制御手段と、
前記コンテンツ内に存在する選択対象情報を選択して枠をフォーカス表示するための方向キーの操作に応じて次にフォーカス表示する選択対象情報の枠を検出する第３の検出手段と、
前記方向キーの操作に基づき現在フォーカス表示されている移動元枠から前記第３の検出手段により検出された移動先枠へフォーカス表示を変更して表示する第５の表示制御手段と、
前記第５の表示制御手段によりフォーカス表示の変更がされる場合に、前記移動元枠の位置情報と前記移動先枠の位置情報に基づき移動軌跡を表示する第６の表示制御手段と
を具備することを特徴とする請求項１乃至５のいずれか１項に記載の表示制御装置。
【請求項６】
第６の表示制御手段は、前記移動元枠と前記移動先枠を結ぶ線分に基づき移動軌跡の形状を作成することを特徴とする請求項６に記載の表示制御装置。
【請求項７】
第６の表示制御手段は、移動軌跡上の色及びまたは輝度・濃度を順次変化させて表示することを特徴とする請求項６または７に記載の表示制御装置。
【請求項８】
順次変化の時間を変更する移動時間変更手段が備えられていることを特徴とする請求項６に記載の表示制御装置。
【請求項９】
コンピュータにより表示部に表示を行う表示制御装置の前記コンピュータを、
情報を表示する表示部にコンテンツを表示する第１の表示制御手段、
前記コンテンツ内に存在する選択対象情報を選択するためのキーの操作に応じて次にフォーカス表示する選択対象情報を得て、この情報が動画再生またはマルチメディア情報再生を指示するタグであるか否かを検出する第１の検出手段、
検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行する第２の表示制御手段、
マウスポインタが再生動画の領域を外れたか否か検出する第２の検出手段、
前記再生動画の領域を外れるまでマウスポインタモードを実行する第３の表示制御手段
として機能させることを特徴とする表示制御用プログラム。
【請求項１０】
前記第２の検出手段がマウスポインタについて再生動画の領域から外れたことを検出した場合には、前記第２の表示制御手段による処理へ移行することを特徴とする請求項１０に記載の表示制御用プログラム。
【請求項１１】
キーは十字キーであることを特徴とする請求項１０または１１に記載の表示制御用プログラム。
【請求項１２】
更に、コンピュータを、
前記第２の表示制御手段が、マウスポインタモードを実行している場合に、キーの操作によるマウスイベントが発生すると、マウスイベントを受け付けて対応するイベント処理を行うイベント処理手段
として機能させることを特徴とする請求項１０乃至１２のいずれか１項に記載の表示制御用プログラム。
【請求項１３】
コンピュータにより表示部に表示を行う表示制御装置の前記コンピュータを、
情報を表示する表示部にコンテンツを表示する第４の表示制御手段、
前記コンテンツ内に存在する選択対象情報を選択して枠をフォーカス表示するための方向キーの操作に応じて次にフォーカス表示する選択対象情報の枠を検出する第３の検出手段、
前記方向キーの操作に基づき現在フォーカス表示されている移動元枠から前記第３の検出手段により検出された移動先枠へフォーカス表示を変更して表示する第５の表示制御手段、
前記第５の表示制御手段によりフォーカス表示の変更がされる場合に、前記移動元枠の位置情報と前記移動先枠の位置情報に基づき移動軌跡を表示する第６の表示制御手段
として機能させることを特徴とする請求項１０乃至１３のいずれか１項に記載の表示制御用プログラム。
【請求項１４】
第６の表示制御手段は、前記移動元枠と前記移動先枠を結ぶ線分に基づき移動軌跡の形状を作成することを特徴とする請求項１４に記載の表示制御用プログラム。
【請求項１５】
第６の表示制御手段は、移動軌跡上の色及びまたは輝度を順次変化させて表示することを特徴とする請求項１４または１５に記載の表示制御用プログラム。
【請求項１６】
コンピュータを、順次変化の時間を変更する移動時間変更手段として機能させることを特徴とする請求項１５に記載の表示制御用プログラム。
【発明の詳細な説明】
【技術分野】
【０００１】
この発明はウェブページなどのコンテンツを表示することが可能な表示制御装置及びその際に用いることのできる表示制御用プログラムに関するものである。
【背景技術】
【０００２】
近年、テレビの多機能化などにより、テレビにウェブページなどのコンテンツを表示することが可能となっている。テレビにおいては、テレビリモコンを操作してウェブページを表示し、例えばポータルサイトからリンク先の所望のウェブページを閲覧するなどの処理が行われる。この場合に、動画再生またはマルチメディア情報再生がされることがあり、再生動画の領域ではマウスポインタモードによる入力操作が行われる必要がある。
【０００３】
テレビのリモコンでは、４つの方向を指示する十字キーなどと称されるキーを操作して、次々にオブジェクトを選択することが行われる。この場合に、選択されたオブジェクトはフォーカス表示される。これに対して、動画再生またはマルチメディア情報の再生の領域では、マウスポインタモードとするためのモード切換操作を行ってマウスポインタの表示を行う必要があり、操作性が悪いという問題があった。
【０００４】
従来、十字キーの操作をマウスカーソルとして扱うかアンカーカーソルとして扱うかを、リモコンの操作に基づき信号に基づき２領域のいずれにおけるものであるか判定して決定する表示制御装置、表示制御方法が知られている（特許文献１参照）。
【０００５】
上記の表示制御装置では、十字キーの操作をマウスカーソルとして扱う領域と十字キーの操作をアンカーカーソルとして扱う領域が固定的であり、表示するコンテンツが変化し、領域が一定に分かれてないコンテンツの場合には、適切に対応することはできない。
【０００６】
また、フォーカスが移動した選択対象情報の位置を瞬時に発見することは難しい。特に、ポータルサイトのように数多くのバナーやリンク先が混在している場合には、十字キーを連続操作すると、どこがフォーカスされているかを見つけるまでに時間を要するという問題があった。このような事情は、特にテレビに限らず、コンテンツを表示する表示装置において同様である。
【先行技術文献】
【特許文献】
【０００７】
【特許文献１】特開２０００−８９８９２号公報
【発明の概要】
【発明が解決しようとする課題】
【０００８】
本発明は上記のように、表示するコンテンツが変化し、領域が一定に分かれてないようなコンテンツに対しては、キーフォーカスモードとマウスポインタモードとを切換えをユーザが行う必要があるという問題点に鑑みてなされたもので、その目的は、表示するコンテンツが変化し、領域が一定に分かれてないようなコンテンツの場合であっても、ユーザがモード切換えをする煩わしさがなく、リモコンによって快適に操作をすることが可能な表示制御装置及び表示制御用プログラムを提供することである。
【０００９】
また、本発明の目的は、上記に加えて、フォーカスが移動した選択対象情報の位置を容易に発見することが可能な表示制御装置及び表示制御用プログラムを提供することである。
【課題を解決するための手段】
【００１０】
本発明に係る表示制御装置は、情報を表示する表示部にコンテンツを表示する第１の表示制御手段と、前記コンテンツ内に存在する選択対象情報を選択するためのキーの操作に応じて次にフォーカス表示する選択対象情報を得て、この情報が動画再生またはマルチメディア情報再生を指示するタグであるか否かを検出する第１の検出手段と、検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行する第２の表示制御手段と、マウスポインタが再生動画の領域を外れたか否か検出する第２の検出手段と、前記再生動画の領域を外れるまでマウスポインタモードを実行する第３の表示制御手段とを具備することを特徴とする。
【００１１】
本発明に係る表示制御装置では、前記第２の検出手段がマウスポインタについて再生動画の領域から外れたことを検出した場合には、前記第２の表示制御手段による処理へ移行することを特徴とする。
【００１２】
本発明に係る表示制御装置では、キーは十字キーであることを特徴とする。
【００１３】
本発明に係る表示制御装置では、前記第２の表示制御手段が、マウスポインタモードを実行している場合に、キーの操作によるマウスイベントが発生すると、マウスイベントを受け付けて対応するイベント処理を行うイベント処理手段を備えていることを特徴とする。
【００１４】
本発明に係る表示制御装置では、情報を表示する表示部にコンテンツを表示する第４の表示制御手段と、前記コンテンツ内に存在する選択対象情報を選択して枠をフォーカス表示するための方向キーの操作に応じて次にフォーカス表示する選択対象情報の枠を検出する第３の検出手段と、前記方向キーの操作に基づき現在フォーカス表示されている移動元枠から前記第３の検出手段により検出された移動先枠へフォーカス表示を変更して表示する第５の表示制御手段と、前記第５の表示制御手段によりフォーカス表示の変更がされる場合に、前記移動元枠の位置情報と前記移動先枠の位置情報に基づき移動軌跡を表示する第６の表示制御手段とを具備することを特徴とする。
【００１５】
本発明に係る表示制御装置では、第６の表示制御手段は、前記移動元枠と前記移動先枠を結ぶ線分に基づき移動軌跡の形状を作成することを特徴とする。
【００１６】
本発明に係る表示制御装置では、第６の表示制御手段は、移動軌跡上の色及びまたは輝度・濃度を順次変化させて表示することを特徴とする。
【００１７】
本発明に係る表示制御装置では、順次変化の時間を変更する移動時間変更手段が備えられていることを特徴とする。
【００１８】
本発明に係る表示制御用プログラムは、コンピュータにより表示部に表示を行う表示制御装置の前記コンピュータを、情報を表示する表示部にコンテンツを表示する第１の表示制御手段、前記コンテンツ内に存在する選択対象情報を選択するためのキーの操作に応じて次にフォーカス表示する選択対象情報を得て、この情報が動画再生またはマルチメディア情報再生を指示するタグであるか否かを検出する第１の検出手段、検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行する第２の表示制御手段、マウスポインタが再生動画の領域を外れたか否か検出する第２の検出手段、前記再生動画の領域を外れるまでマウスポインタモードを実行する第３の表示制御手段として機能させることを特徴とする。
【００１９】
本発明に係る表示制御用プログラムは、前記第２の検出手段がマウスポインタについて再生動画の領域から外れたことを検出した場合には、前記第２の表示制御手段による処理へ移行することを特徴とする。
【００２０】
本発明に係る表示制御用プログラムでは、キーは十字キーであることを特徴とする。
【００２１】
本発明に係る表示制御用プログラムでは、更に、コンピュータを、前記第２の表示制御手段が、マウスポインタモードを実行している場合に、キーの操作によるマウスイベントが発生すると、マウスイベントを受け付けて対応するイベント処理を行うイベント処理手段として機能させることを特徴とする。
【００２２】
本発明に係る表示制御用プログラムでは、更に、前記コンピュータを、情報を表示する表示部にコンテンツを表示する第４の表示制御手段、前記コンテンツ内に存在する選択対象情報を選択して枠をフォーカス表示するための方向キーの操作に応じて次にフォーカス表示する選択対象情報の枠を検出する第３の検出手段、前記方向キーの操作に基づき現在フォーカス表示されている移動元枠から前記第３の検出手段により検出された移動先枠へフォーカス表示を変更して表示する第５の表示制御手段、前記第５の表示制御手段によりフォーカス表示の変更がされる場合に、前記移動元枠の位置情報と前記移動先枠の位置情報に基づき移動軌跡を表示する第６の表示制御手段として機能させることを特徴とする。
【００２３】
本発明に係る表示制御用プログラムでは、更に、第６の表示制御手段は、前記移動元枠と前記移動先枠を結ぶ線分に基づき移動軌跡の形状を作成することを特徴とする。
【００２４】
本発明に係る表示制御用プログラムでは、更に、第６の表示制御手段は、移動軌跡上の色及びまたは輝度を順次変化させて表示することを特徴とする。
【００２５】
本発明に係る表示制御用プログラムでは、更に、コンピュータを、順次変化の時間を変更する移動時間変更手段として機能させることを特徴とする。
【発明の効果】
【００２６】
本発明によれば、コンテンツ内に存在する選択対象情報を選択するためのキーの操作に応じて次にフォーカス表示する選択対象情報を得て、この情報が動画再生またはマルチメディア情報再生を指示するタグであるか否かを検出し、検出結果が該当タグである場合には、再生動画の領域においてマウスポインタを表示するマウスポインタモードを実行し、前記検出結果が該当タグでない場合には、次の選択対象情報をフォーカス表示するキーフォーカスモードを実行するので、表示するコンテンツが変化し、領域が一定に分かれてないようなコンテンツの場合であっても、ユーザがモード切換えをする煩わしさがなく、キー操作によって快適に操作をすることが可能である。
【００２７】
本発明によれば、上記に加えて、方向キーの操作に基づき現在フォーカス表示されている移動元枠から前記第３の検出手段により検出された移動先枠へフォーカス表示を変更して表示すると共に、フォーカス表示の変更がされる場合に、前記移動元枠の位置情報と前記移動先枠の位置情報に基づき移動軌跡を表示するので、移動軌跡に沿って移動先枠を追いかけることができ、フォーカスが移動した選択対象情報の位置を容易に発見することが可能となる。
【図面の簡単な説明】
【００２８】
【図１】本発明の表示制御装置の第１の実施形態の構成を示すブロック図。
【図２】本発明の表示制御装置の第１の実施形態の要部構成を示すブロック図。
【図３】本発明の表示制御装置の実施形態の動作を説明するためのフローチャート。
【図４】本発明の表示制御装置の実施形態の表示モード自動切換動作を説明するための図。
【図５】本発明の表示制御装置の第２の実施形態の構成を示すブロック図。
【図６】本発明の表示制御装置の第３の実施形態の要部構成を示すブロック図。
【図７】本発明の表示制御装置の第３の実施形態の動作を説明するためのフローチャート。
【図８】本発明の表示制御装置の第３の実施形態により作成される移動軌跡の例を示す図。
【図９】本発明の表示制御装置の第３の実施形態により作成される移動軌跡の例を示す図。
【図１０】本発明の表示制御装置の第３の実施形態により表示される移動軌跡の例を示す図。
【図１１】本発明の表示制御装置の第３の実施形態により表示される移動軌跡の例を示す図。
【図１２】本発明の表示制御装置の第３の実施形態により作成される移動軌跡の例を示す図。
【発明を実施するための形態】
【００２９】
以下添付図面を参照して本発明である表示制御装置及び表示制御用プログラムの実施形態を説明する。各図において同一の構成要素には同一の符号を付して重複する説明を省略する。第１の実施形態に係る表示制御装置は、図１に示すように、テレビ１０と、このテレビ１０に外付けされるコンピュータであるＨＤＭＩドングル２０により構成される。
【００３０】
ＨＤＭＩドングル２０は、テレビ１０のＨＤＭＩ端子に接続され、映像データをテレビ１０へ供給するものであり、図２に示すように構成することができる。ＨＤＭＩドングル２０は、プロセッサ２１に、ｅＭＭＣ（embedded Multi Media Card ）により構成することができる外部記憶装置２２１と、ＤＤＲ(Double-Data-Rate Synchronous Dynamic Random Access Memory) ３により構成することができる主記憶装置２２２とを有する記憶装置２２が接続されており、プロセッサ２１が記憶装置２２に記憶されたプログラムを用いて処理を行うコンピュータの構成を採用している。
【００３１】
プロセッサ２１には、通信インタフェース２３と、ＨＤＭＩインタフェース２４、ＰＭＩＣ（パワーマネージメントＩＣ）２５が接続されている。通信インタフェース２３は、Ｗｉ−Ｆｉ（登録商標）などによる無線ＬＡＮインタフェース及びBluetooth （登録商標）通信のためのインタフェースである。図１においては通信インタフェース２３が図示されず、制御部２１Ａから直接にネットワーク３０に接続されているが、実際には通信インタフェース２３を介してネットワーク３０に接続されている。また、ネットワーク３０には、ウェブページを提供する複数のサーバ４０が接続されている。ＨＤＭＩインタフェース２４は、ＨＤＭＩケーブルによってテレビ１０のＨＤＭＩ端子に接続される。パワーマネージメントＩＣ２５は、ＵＳＢベースとＡＣアダプタ・ベースのどちらからもバッテリ充電が可能となっており、バッテリ充電と電力供給を行う。
【００３２】
図１には、上記図２のＨＤＭＩドングル２０の構成中のプロセッサ２１と記憶装置２２を、制御部２１Ａ、記憶部２２Ａとして示している。制御部２１Ａには、第１の表示制御手段７１、第２の表示制御手段７２、第３の表示制御手段７３、第１の検出手段７４、第２の検出手段７５、イベント処理手段７６が備えられている。第１の表示制御手段７１は、情報を表示する表示部の一例であるテレビ画面にコンテンツを表示するものである。
【００３３】
また、第１の検出手段７４は、上記コンテンツ内に存在する選択対象情報を選択するためのキーの操作に応じて次にフォーカス表示する選択対象情報を得て、この情報が動画再生またはマルチメディア情報再生を指示するタグであるか否かを検出するものである。ここに、マルチメディア情報の再生としてはゲーム等の動画再生を挙げることができる。更に、第２の表示制御手段７２は、第１の検出手段７４による検出結果が該当タグである場合には、再生動画の領域においてマウスポインタを表示するマウスポインタモードを実行し、検出結果が該当タグでない場合には、次の選択対象情報をフォーカス表示するキーフォーカスモードを実行するものである。ここで、キーは次にフォーカス表示する選択対象情報の枠を指示するためキーであり、上下左右の方向を指示する方向キーを用いることができる。この方向キーは、テレビリモコン８０に設けられている所謂十字キー８１により構成することができる。また、選択対象情報とは、アンカータグなどのようにリンク先を指定する情報を持ったタグなどを指すものとするが、コンテンツがウェブサイト以外であれば、選択のためのボタンなどであってもよい。
【００３４】
第２の検出手段７５は、マウスポインタについて再生動画の領域から外れたことを検出するものである。第３の表示制御手段７３は、上記再生動画の領域を外れるまでマウスポインタモードを実行するものである。更に、上記第２の検出手段７５が操作エリアから外れたことを検出した場合には、上記第２の表示制御手段７３による処理へ移行する。また、イベント処理手段７６は、上記第２の表示制御手段７３が、マウスポインタモードを実行している場合に、キーの操作によるマウスイベントが発生すると、マウスイベントを受け付けて対応するイベント処理を行うものである。上記各手段は、プロセッサ２１が記憶装置２２のプログラム（ウェブブラウザ）を実行することにより実現することができる。
【００３５】
テレビ１０の要部構成として、制御部１１、入力切換部１２、映像表示部１３及び受信部１４が示されている。映像表示部１３は、入力切換部１２を介して到来する映像データ（映像信号）を用いて画面に映像を表示する。入力切換部１２は、映像データの入力を切り換えるもので、ここではＨＤＭＩドングル２０とアンテナとの切換えを示すが、これ以外の入力について選択するものであっても良い。
【００３６】
制御部１１は、上記入力切換部１２の切換制御を行うと共に、ＨＤＭＩ−ＣＥＣによりＨＤＭＩドングル２０と接続するインタフェース機能を含むものとする。この実施形態では、テレビリモコン８０の操作により送られる信号をＨＤＭＩ−ＣＥＣによるデータとして送信する。制御部１１は、ＨＤＭＩドングル２０からＨＤＭＩ−ＣＥＣの入力切換のコマンドを受けると、入力切換部１２を制御してＨＤＭＩドングル２０から送られる映像データが選択されて映像表示部１３にて表示が行われるように動作する。
【００３７】
以上のような構成を備える表示システムでは、記憶部２２Ａに、映像表示装置であるテレビ１０に表示すべき映像データを格納しておくことができる。この実施形態では、図３に示されるフローチャートに示すように、制御部２１Ａによる十字キー８１のキー操作に対応する表示の処理動作が行われる。
【００３８】
制御部１１は、電源オンの後にテレビリモコン８０による例えば所定ウェブページの表示要求を受けてＨＤＭＩドングル２０へ所定ウェブページの表示要求を送る。これに応えてＨＤＭＩドングル２０からＨＤＭＩ−ＣＥＣの入力切換のコマンドを受けると、制御部１１は、ＨＤＭＩドングル２０から送られる映像データ等が選択されて映像表示部１３にて表示されるように入力切換部１２を切り換える。
【００３９】
上記所定ウェブページの表示要求を受けた制御部２１Ａは図３のフローチャートのプログラムをスタートさせて、所定処理により設定されたウェブページへアクセスして、ＨＴＭＬなどにより構成される映像データ（コンテンツ）を得てテレビ１０へ送って表示する（Ｓ１１）。このウェブページのＵＲＬは、テレビリモコン８０によって入力されたものでもよく、また、ＨＤＭＩドングル２０に予め設定しておくことができる。
【００４０】
次に制御部２１Ａは十字キー８１の操作がなされたかを監視しており（Ｓ１２）、十字キー８１の操作を検出すると、マウスポインタによる表示モードであるかを検出する（Ｓ１３）。ここで、マウスポインタによる表示モードでないこと（フォーカスによる表示モードであること）が検出されると、次にフォーカス表示する選択対象情報の情報を取り込み（Ｓ１４）、この情報が動画再生またはマルチメディア情報再生を指示するタグであるか否かを検出する（Ｓ１５）。具体例としては、＜video＞タグが検出された場合、＜object＞タグによってflashplayerによる動画再生を指示された場合、＜embed＞タグによってflashplayerによる動画再生を指示された場合、を挙げることができる。なお、これらは例示に過ぎず、例えば、flashplayerは、動画再生またはマルチメディア情報再生を行うソフトウエアとすることができる。
【００４１】
上記ステップＳ１５においてＮＯとなると、ステップＳ１４において取り込んだ情報に含まれる移動先枠の位置情報と形状情報を用いて、フォーカス表示を移動して表示し（Ｓ１６）、ステップＳ１２へ戻って動作が継続される。
【００４２】
一方、上記ステップＳ１５においてＹＥＳとなると、マウスポインタによる表示モードへ移行し、マウスポインタの移動とイベント処理を行う（Ｓ１７）。即ち、このステップＳ１７においては、十字キー８１の左右方向キーの操作に応じてマウスポインタを移動し、キーの操作によるマウスイベントが発生すると、マウスイベントを受け付けて対応するイベント処理を行う。更に処理を続けるためにステップＳ１３へ戻り操作が続けられる。
【００４３】
上記ステップＳ１３において、マウスポインタによる表示モードであることが検出されると、マウスポインタが再生動画の領域から外れたか否かを検出し（Ｓ１８）、ＮＯであればステップ１７へ進んで処理を続ける。また、ステップＳ１８においてＹＥＳへ分岐すると、ステップＳ１４へ進んで、次にフォーカス表示する選択対象情報の取り込み処理を行う。このように、マウスポインタが操作エリアから外れるまではマウスポインタモードを実行し、再生動画の領域から外れたことを検出した場合には、自動的にフォーカスによる表示処理が実行される。
【００４４】
上記の処理に対応する表示切換を、図４を参照して説明する。当初は、図４（ａ）に表示されるようなコンテンツが表示されていたものとする。そして、枠Ｐ１がフォーカス表示されている場合において、十字キー８１の下方向キーが操作されると、次にフォーカスすべき選択対象情報として、表示されている再生動画Ｐ２に対応する情報が取得される。
【００４５】
上記再生動画Ｐ２に対応する情報は、動画再生またはマルチメディア情報再生を指示するタグである（＜video＞タグが検出された場合、＜object＞タグによってflashplayerによる動画再生を指示された場合、＜embed＞タグによってflashplayerによる動画再生を指示された場合、のいずれかとなる）。このため、再生動画Ｐ２の領域には図４（ｂ）に表示されるように、再生動画Ｐ２の領域ではフォーカス表示に代えてマウスポインタＭＰが表示され、十字キー８１の左右方向キーの操作に応じてマウスポインタＭＰが移動され、Ｐｌａｙボタン、再生ボタン、中止ボタンなどにマウスポインタＭＰを位置付けて、クリックやムーブ（ｍｏｖｅ）が操作された場合に、イベント処理（動画の再生、中止、再生位置移動など）が行われる。このように、本実施形態によればユーザがモード切換えをする煩わしさなく、フォーカス表示モードとマウスポインタの表示モードとが自動的に切り換えられ、テレビリモコン８０によって快適に操作をすることが可能である。
【００４６】
図５には、第２の実施形態に係る表示制御装置としてのテレビ１０Ａの構成を示す。このテレビ１０Ａは、図１のテレビ１０に、ＨＤＭＩドングル２０により構成されていた制御部２１Ａ、記憶部２２Ａを内蔵したものである。これ以外に、ネットワーク３０と接続するための通信インタフェース３１を備えている。
【００４７】
この構成においては、制御部１１は、電源オンの後にテレビリモコン８０による所定ウェブページの表示要求を受けて制御部２１Ａへ所定ウェブページの表示要求を送る。上記所定ウェブページの表示要求を受けた制御部２１Ａは、図３のフローチャートのプログラムをスタートさせて、所定処理により設定されたウェブページへアクセスして、ＨＴＭＬなどにより構成される映像データを得て制御部１１へ送る。
【００４８】
制御部１１は、制御部２１Ａから送られる映像データが選択されて映像表示部１３にて表示されるように入力切換部１２を切り換えており、ウェブページが映像表示部１３に表示される。この実施形態においても、制御部２１Ａに備えられている、第１の表示制御手段７１、第２の表示制御手段７２、第３の表示制御手段７３、第１の検出手段７４、第２の検出手段７５、イベント処理手段７６が上述の如く動作し、ウェブページの表示と、フォーカス表示、更には、動画再生の領域ではマウスポインタモードによる表示及びイベント処理がなされる。この第２の実施形態においても、ユーザがモード切換えをする煩わしさなく、フォーカス表示モードとマウスポインタの表示モードとが自動的に切り換えられ、テレビリモコン８０によって快適に操作をすることが可能である。
【００４９】
図６には、第３の実施形態に係る表示制御装置の制御部２１Ａの構成が示されている。制御部２１Ａには、第１の実施形態に係る表示制御装置に備えられていた構成（第１の表示制御手段７１、第２の表示制御手段７２、第３の表示制御手段７３、第１の検出手段７４、第２の検出手段７５、イベント処理手段７６）以外に、第４の表示制御手段９１、第５の表示制御手段９２、第６の表示制御手段９３、第３の検出手段９４、移動時間変更手段９５が備えられている。第４の表示制御手段９１は、テレビ画面にコンテンツであるウェブページを表示するものである。
【００５０】
また、第３の検出手段９４は、上記ウェブページ（コンテンツ）内に存在する選択対象情報を選択して枠をフォーカス表示するための方向キーの操作に応じて次にフォーカス表示する選択対象情報の枠を検出する。ここで、方向キーは次にフォーカス表示する選択対象情報の枠を指示するためキーであり、上下左右の方向を指示することができる。この方向キーは、テレビリモコン８０に設けられている所謂十字キー８１により構成することができる。また、選択対象情報とは、アンカータグなどのようにリンク先を指定する情報を持ったタグなどを指すものとする。
【００５１】
第５の表示制御手段９２は、上記方向キーの操作に基づき現在フォーカス表示されている移動元枠から上記第３の検出手段９４により検出された移動先枠へフォーカス表示を変更して表示するものである。第６の表示制御手段９３は、上記第５の表示制御手段９２によりフォーカス表示の変更がされる場合に、上記移動元枠の位置情報と上記移動先枠の位置情報に基づき移動軌跡を表示するものである。移動時間変更手段９５は、順次変化の時間を変更するものである。上記各手段は、プロセッサ２１が記憶装置２２のプログラム（ウェブブラウザ）を実行することにより実現することができる。
【００５２】
以上のような構成を備える第３の実施形態では、図７に示されるフローチャートに示すように、制御部２１Ａによるフォーカス表示の処理動作が行われる。
【００５３】
制御部１１は、電源オンの後にテレビリモコン８０による所定ウェブページの表示要求を受けてＨＤＭＩドングル２０へ所定ウェブページの表示要求を送る。これに応えてＨＤＭＩドングル２０からＨＤＭＩ−ＣＥＣの入力切換のコマンドを受けると、制御部１１は、ＨＤＭＩドングル２０から送られる映像データが選択されて映像表示部１３にて表示されるように入力切換部１２を切り換える。
【００５４】
上記所定ウェブページの表示要求を受けた制御部２１Ａは図７のフローチャートのプログラムをスタートさせて、所定処理により設定されたウェブページへアクセスして、ＨＴＭＬなどにより構成される映像データを得てテレビ１０へ送って表示する（Ｓ２１）。このウェブページのＵＲＬは、テレビリモコン８０によって入力されたものでもよく、また、ＨＤＭＩドングル２０に予め設定しておくことができる。
【００５５】
次に制御部２１Ａは十字キー８１の操作がなされたかを監視しており（Ｓ２２）、十字キー８１の操作を検出すると、次にフォーカス表示する選択対象情報の枠を検出する（Ｓ２３）。例えば、十字キー８１の操作に対応して次のように検出を行う。十字キー８１の上下方向を示すキー操作により現在のフォーカス表示されている枠から上側または下側に存在する選択対象情報の内、最も真下或いは真上に近い枠を検出する。また、十字キー８１の左右方向を示すキー操作により現在のフォーカス表示されている枠から真っ直ぐ左側または真っ直ぐ右側に存在する選択対象情報の内、最も近い枠を検出する。真っ直ぐ左側または真っ直ぐ右側に選択対象情報が存在しなければ、次の行について検出を行う。
【００５６】
次に、現在フォーカス表示されている移動元枠の位置情報と形状情報、また、上記で検出された移動先枠の位置情報と形状情報を用いて、移動軌跡を作成する（Ｓ２４）。例えば、図８に示すように上下に四角枠が存在する場合には、移動元枠４１の四つの角と、移動先枠４２の四つの角とを結び、その４線分に沿って移動元枠４１の矩形が移動先枠４２の矩形へと変化するように、矩形を移動軌跡４３の形状とすることができる。また、図９に示すように左右に四角枠が存在する場合には、移動元枠４４の各角と、移動先枠４５の各角とを結ぶ線分によって決まる矩形を移動軌跡４６の形状とし、これを連続移動することができる。なお、枠や移動軌跡の形状は、矩形以外に円や多角形などであってもよく、制限はない。
【００５７】
次に、上記移動軌跡を表示し、続いて移動先枠をフォーカス表示し、移動元枠のフォーカス表示を停止する（Ｓ２５）。図１０は、移動先が２か所ある例である。この場合には、一つの移動先枠５２には、移動元枠５１と移動先枠５２の間でフォーカス表示を移動するので、移動軌跡５３を表示し、二つ目の移動先枠５４には、移動元枠５２と移動先枠５４の間でフォーカス表示を移動するので、移動軌跡５５を表示することができる。また、図１１のように、移動元枠５６に対し一部が重なる複数（ここでは、二つ）の移動先枠５７、５８へフォーカス表示を移動することも起こり得る。この場合には、重なる移動軌跡５９Ａ、５９Ｂを表示することができる。このように、複数の移動先枠が生じる理由は、選択対象情報においてＨＴＭＬによる改行などが存在し、複数のリンク先を有するなどの場合があり、また、選択対象情報内に複数の要素が存在し、複数の枠となる場合があるからである。
【００５８】
ステップＳ２５における移動軌跡の表示にあっては、第６の表示制御手段９３は、移動軌跡上の色及びまたは輝度・濃度を順次変化させて表示することができる。つまり、移動元枠側から移動先枠方向へ順次に色を変更し、及びまたは輝度・濃度を順次変化（移動元枠側の輝度・濃度を明るく）するなどにより、移動先枠がどの方向にあるかを指し示すことができる。
【００５９】
また、移動軌跡を多数の図形により構成すると共に、移動元枠側から移動先枠方向へ連続する表示以外に、不連続で順次に表示することもできる。具体的には、図１２に示すように移動元枠４７から移動先枠４８へ向かって、矩形の移動軌跡４９Ａ、４９Ｂ、４９Ｃ（３つは一例である）を作成し、時間経過と共に４９Ａ→４９Ｂ→４９Ｃと不連続表示することができる。これによっても移動先枠がどの方向にあるかを指し示すことができる。
【００６０】
制御部２１Ａの移動時間変更手段９５は、順次変化の時間を変更するものである。例えば、テレビリモコン８０の所定操作によって、順次変化の時間の変更モードとし、例えば、予め設定した数段階の時間のいずれかを選択し、或いは連続する時間をバーで表示し、バーの長さを変更して設定することができてもよい。これによって、操作者の能力に合わせて順次変化の時間を設定することができる。また、この設定時間に対応して或いは別の設定によりフォーカス表示を移動する時間を切り換えてもよい。
【００６１】
上記第３の実施形態の制御部２１Ａは、図５に示した第２の実施形態に係るテレビ表示制御装置のように、記憶部２２Ａと共に内蔵された構成であっても良い。
【００６２】
なお、上記の実施形態においては、表示部をテレビの画面とし、方向キーをテレビリモコンのものを用いて説明したが、これに限定されない。パソコンやタブレット端末などにおいて、方向キーを用いてフォーカス表示を移動させる場合などに本発明は適用可能であり、コンテンツとしては、ウェブページに限るものではない。
【符号の説明】
【００６３】
１０、１０Ａ  テレビ
１１  制御部
１２  入力切換部
１３  映像表示部
１４  受信部
２０  ドングル
２１  プロセッサ
２１Ａ  制御部
２２  記憶装置
２２Ａ  記憶部
２３  通信インタフェース
２４  インタフェース
３０  ネットワーク
３１  通信インタフェース
４０  サーバ
７１  第１の表示制御手段
７２  第２の表示制御手段
７３  第３の表示制御手段
７４  第１の検出手段
７５  第２の検出手段
７６  イベント処理手段
８０  テレビリモコン
８１  十字キー
８２  決定キー
９１  第４の表示制御手段
９２  第５の表示制御手段
９３  第６の表示制御手段
９４  第３の検出手段
９５  移動時間制御手段
【図１】
2015222566.tif 000003
【図２】
2015222566.tif 000004
【図３】
2015222566.tif 000005
【図４】
2015222566.tif 000006
【図５】
2015222566.tif 000007
【図６】
2015222566.tif 000008
【図７】
2015222566.tif 000009
【図８】
2015222566.tif 000010
【図９】
2015222566.tif 000011
【図１０】
2015222566.tif 000012
【図１１】
2015222566.tif 000013
【図１２】
2015222566.tif 000014